(57)【要約】【課題】携帯端末において、メインチャンネルで選局された放送を視聴しつつ、サブチャンネルで選局された視聴内容を確認することが可能なデジタル放送受信装置等を提供すること。【解決手段】デジタル放送を受信する第１受信部及び第２受信部と、第１受信部により受信されたデジタル放送から、映像データをデコードする映像デコーダ部と、第１受信部により受信されたデジタル放送から、字幕データをデコードする第１字幕デコーダ部と、第２受信部により受信されたデジタル放送から、字幕データをデコードする第２字幕デコーダ部と、第１字幕デコーダ部によりデコードされた字幕データと、第２字幕デコーダ部によりデコードされた字幕データとを選択する選択部と、前記映像データに、前記選択部により選択された字幕データを合成して出力する出力部と、を備える。【選択図】図３
2014022958.tif 000002
【特許請求の範囲】
【請求項１】
デジタル放送を受信する第１受信部及び第２受信部と、
第１受信部により受信されたデジタル放送から、映像データをデコードする映像デコーダ部と、
第１受信部により受信されたデジタル放送から、字幕データをデコードする第１字幕デコーダ部と、
第２受信部により受信されたデジタル放送から、字幕データをデコードする第２字幕デコーダ部と、
第１字幕デコーダ部によりデコードされた字幕データと、第２字幕デコーダ部によりデコードされた字幕データとを選択する選択部と、
前記映像データに、前記選択部により選択された字幕データを合成して出力する出力部と、
を備えることを特徴とするデジタル放送受信装置。
【請求項２】
デジタル放送を受信する第１受信部及び第２受信部が接続されたコンピュータに、
第１受信部により受信されたデジタル放送から、映像データをデコードする映像デコーダ機能と、
第１受信部により受信されたデジタル放送から、字幕データをデコードする第１字幕デコーダ機能と、
第２受信部により受信されたデジタル放送から、字幕データをデコードする第２字幕デコーダ機能と、
第１字幕デコーダ機能によりデコードされた字幕データと、第２字幕デコーダ機能によりデコードされた字幕データとを選択する選択機能と、
前記映像データに、前記選択機能により選択された字幕データを合成して出力する出力機能と、
を実現させるためのプログラム。
【発明の詳細な説明】
【技術分野】
【０００１】
デジタル放送受信装置等に関する。
【背景技術】
【０００２】
近年、様々な機能を有する携帯端末が普及している。特に、スマートフォンと呼ばれる携帯電話機能を有する多機能端末では、携帯電話の機能だけではなく、各種映像や画像を表示させたり、音楽を再生したり、電子書籍を表示させたり、インターネットの情報を表示させたりといった様々な機能を備えており、利便性の高い装置となっている。
【０００３】
そのような携帯端末の機能の一つとして、デジタル放送受信装置を含めた装置が知られている。例えば、フルセグやワンセグといった地上波デジタル放送を受信し、表示する携帯端末が知られている。この場合、視聴者の選局のしやすさ等を考慮し、例えばチューナを２つ備えることにより、メイン画面とサブ画面を表示させる技術が知られている（例えば、特許文献１参照）。
【０００４】
この場合、メイン画面を大きく表示し、サブ画面をピクチャインピクチャのように表示させたり、並列に表示させたりする手法が知られている。このように２つの画面を表示させた場合、両方の画面の音声出力を出力させると利用者が聞き取りにくくなるため、サブ画面については、サブ画面中に字幕表示させる方法や、別の字幕画面を表示する方法といった技術が知られている（例えば、特許文献２参照）。
【先行技術文献】
【特許文献】
【０００５】
【特許文献１】特開２００７−０２８４８５号公報
【特許文献２】特開２００１−２６８４６４号公報
【発明の概要】
【発明が解決しようとする課題】
【０００６】
近年、上記スマートフォン等を代表とする携帯型のデジタル放送受信装置においては、表示部が大画面化しつつある。大画面であることから、利用者としては上記２つのチューナを利用することにより、利便性の高い携帯端末を望んでいる。
【０００７】
しかし、スマートフォンを代表とする携帯端末の場合、大画面化しつつあるといっても電話としての機能を利用するためには、表示部の大きさを含めた端末装置の大きさは限界がある。したがって、２画面表示してしまうと、サブ画面が小さくなりすぎ、結果として視認出来ないという問題が生じてしまう。
【０００８】
更に、メインで受信している放送及びサブで受信している放送をデコードすることは、デコードに利用される消費電力が大きくなり、端末の利用時間が短くなってしまうという問題も生じてしまう。
【０００９】
上述した課題に鑑み、本発明の目的は、携帯端末において、メインチャンネルで選局された放送を視聴しつつ、サブチャンネルで選局された視聴内容を確認することが可能なデジタル放送受信装置等を提供することである。
【課題を解決するための手段】
【００１０】
上述した課題を解決するために、本発明のデジタル放送受信装置は、
デジタル放送を受信する第１受信部及び第２受信部と、
第１受信部により受信されたデジタル放送から、映像データをデコードする映像デコーダ部と、
第１受信部により受信されたデジタル放送から、字幕データをデコードする第１字幕デコーダ部と、
第２受信部により受信されたデジタル放送から、字幕データをデコードする第２字幕デコーダ部と、
第１字幕デコーダ部によりデコードされた字幕データと、第２字幕デコーダ部によりデコードされた字幕データとを選択する選択部と、
前記映像データに、前記選択部により選択された字幕データを合成して出力する出力部と、
を備えることを特徴とする。
【００１１】
本発明のプログラムは、
デジタル放送を受信する第１受信部及び第２受信部が接続されたコンピュータに、
第１受信部により受信されたデジタル放送から、映像データをデコードする映像デコーダ機能と、
第１受信部により受信されたデジタル放送から、字幕データをデコードする第１字幕デコーダ機能と、
第２受信部により受信されたデジタル放送から、字幕データをデコードする第２字幕デコーダ機能と、
第１字幕デコーダ機能によりデコードされた字幕データと、第２字幕デコーダ機能によりデコードされた字幕データとを選択する選択機能と、
前記映像データに、前記選択機能により選択された字幕データを合成して出力する出力機能と、
を実現させることを特徴とする。
【発明の効果】
【００１２】
本発明のデジタル放送受信装置によれば、第１受信部により受信されたデジタル放送からデコードされた映像データを表示させつつ、第２受信部により受信されたデジタル放送からデコードされた字幕データを表示させることができる。すなわち、メインチャンネルの内容を出力させつつ、サブチャンネルの番組内容を表示させることができるようになる。
【図面の簡単な説明】
【００１３】
【図１】本実施形態における携帯端末の外観を説明するための図である。
【図２】本実施形態における携帯端末の機能構成を説明するための図である。
【図３】本実施形態における放送受信部の機能構成を説明するための図である。
【図４】本実施形態における処理の流れを説明するための図である。
【図５】本実施形態における処理例を説明するための図である。
【図６】本実施形態における処理例を説明するための図である。
【発明を実施するための形態】
【００１４】
続いて、本発明を適用した場合のデジタル放送受信装置について説明する。デジタル放送受信装置の一例として、電話機能を備えた多機能電話、いわゆるスマートフォンを例に取って説明するが、表示部の大きさが限られるデジタル放送受信装置、例えば携帯型テレビ、テレビ機能を有する電子辞書のような情報機器、カーナビゲーション装置等に適用可能なことは勿論である。
【００１５】
［１．全体構成］
まず、デジタル放送受信装置を適用した携帯端末１の外観について説明する。図１に示すように、携帯端末１は、放送局２０により、デジタル放送（例えば、地上波デジタル放送）を受信可能な端末である。
【００１６】
なお、本実施形態においては、放送局２０より地上波デジタル放送を受信する装置として説明するが、例えばＢＳデジタル放送といった他の放送方式であっても良いし、ＩＰマルチキャスト放送といった他の通信方式であっても良い。
【００１７】
［２．機能構成］
次に、携帯端末１の機能構成について図を用いて説明する。
【００１８】
［２．１  全体説明］
携帯端末１は、制御部１０００と、放送受信部１１００と、映像表示部１２００と、音声出力部１３００と、記憶部１４００と、操作部１５００と、電話機能部１６００とを備えて構成されている。
【００１９】
制御部１０００は、携帯端末１０の全体を制御するための機能部である。制御部１０００は、記憶部１４００に記憶されている各種プログラムを読み出して実行することにより各種機能を実現しており、例えばＣＰＵ（Central Process Unit）等により構成されている。
【００２０】
放送受信部１１００は、放送波を受信し、復号して映像データ、音声データ、字幕データ等を出力する機能部である。放送受信部１１００の詳細な動作については、図３を用いて詳細に説明する。
【００２１】
映像表示部１２００は、放送受信部１１００より復号された映像データ及び字幕データが表示される機能部である。例えば、液晶ディスプレイや、有機ＥＬパネルといった表示装置により構成されている。なお、本実施形態では、携帯端末を実施形態として説明するため、映像表示部１２００が含まれているが、例えば、デジタル放送チューナ等の場合は、外部に接続された表示装置に出力することとしても良い。
【００２２】
音声出力部１３００は、放送受信部１１００より復号された音声データが出力される機能部である。例えば、スピーカや、イヤホン等により構成されている。
【００２３】
記憶部１４００は、携帯端末１０の動作に必要な各種プログラムや、各種データが記憶されている機能部である。記憶部１４００は、例えば、半導体メモリや、ＨＤＤ（Hard Disk Drive）等により構成されている。
【００２４】
また、本実施形態における記憶部１４００は、復号される字幕データが記憶される。また、記憶部１４００は、サブチャンネルの字幕を利用するか否か等の設定情報を記憶している。
【００２５】
操作部１５００は、携帯端末１に対して利用者が各種操作を行う為の機能部である。例えば、映像表示部１２００と一体として形成されるタッチパネルに表示されるソフトキーや、携帯端末１に備えられたハードキー等により構成される。
【００２６】
電話機能部１６００は、携帯端末１が携帯電話として動作する場合に用いられる機能部である。なお、本発明と直接関係がないため、その動作の説明は省略する。
【００２７】
［２．２  放送受信部］
続いて、放送受信部の構成、動作について図３を用いて説明する。外部アンテナ１１０で受信された放送波は、チューナ部１２０により、利用者が所望するチャンネルの放送波が選局され、ＤＥＭＵＸ１３０に出力される。そしてＤＥＭＵＸ１３０から映像データ（音声データがある場合は音声データが含まれる）が映像デコーダ部１４０に、字幕データが字幕デコーダ部１５０にそれぞれ出力される。
【００２８】
ここで、利用者が映像を表示させるチャンネル、すなわちメインのチャンネルとして選局される放送波は、チューナ部１２０ａにより選局される。そして、当該放送波は、ＤＥＭＵＸ１３０ａにおいて復調され、音声データを含む映像データが映像デコーダ部１４０に出力され、字幕データが字幕デコーダ部１５０ａに出力される。
【００２９】
また、利用者がサブのチャンネルとして選局された放送波は、チューナ部１２０ｂにより選局される。そして、当該放送波は、ＤＥＭＵＸ１３０ｂにおいて復調され、字幕データが字幕デコーダ部１５０ｂに出力される。
【００３０】
そして、字幕デコーダ部１５０ａ及び字幕デコーダ部１５０ｂにより出力された字幕データは、選択部１６０に出力される。選択部１６０は、合成部１７０に出力する字幕データを選択し、合成部１７０に出力する。
【００３１】
ここで、利用者によりサブのチャンネルの字幕データを表示させる設定となっている場合には、選択部１６０は、字幕デコーダ部１５０ｂにより出力される字幕データを選択する。
【００３２】
他方、利用者によりサブのチャンネルの字幕データを表示させる設定となっていない場合には、選択部１６０は、字幕デコーダ部１５０ａにより出力される字幕データを選択する。
【００３３】
そして、合成部１７０は、映像デコーダ部１４０から入力される映像データと、選択部１６０から入力される字幕データとを合成する。
【００３４】
なお、利用者の設定により、字幕データを非表示と設定されている場合、合成部１７０は、映像デコーダ部１４０により出力される映像データのみを出力する。
【００３５】
そして、合成部１７０により合成された映像が、出力部１８０に出力され、出力部１８０は出力することとなる（例えば、図２の映像表示部１２００に、映像として表示される）。
【００３６】
［３．処理の流れ］
続いて、本実施形態における処理の流れについて、図を用いて説明する。
【００３７】
まず、利用者によりサブチャンネルを使用するか否かの設定を行う（ステップＳ１０２）。本実施形態のように処理の最初に設定することとしても良いし、随時設定モード等で設定することとしても良い。
【００３８】
次に、デジタルテレビの機能が起動される（ステップＳ１０４）。このとき、利用者によりメインとして受信されるチャンネル（メインチャンネル）が選局される。そして、メインチャンネルの映像をデコード（復調）し、出力部１８０に出力する（ステップＳ１０６）。
【００３９】
ここで、サブチャンネルを使用するか否かを判定する（ステップＳ１１０）。サブチャンネルを使用する設定となっていた場合には（ステップＳ１１０；Ｙｅｓ）、サブチャンネルを選局し（ステップＳ１１２）、サブチャンネルの字幕データをデコード（復調）・選択し、出力する。
【００４０】
他方、サブチャンネルを使用する設定となっていない場合には（ステップＳ１１０；Ｎｏ）、メインチャンネルの字幕データをデコード（復調）・選択し、出力する。
【００４１】
［４．動作例］
続いて動作例について、図を用いて説明する。図５及び図６は表示画面の一例である。図５の表示画面Ｗ１００では、領域Ｒ１００にメインチャンネルの映像データが表示され、字幕領域Ｒ１１０にメインチャンネルに対応する字幕データが表示されている。
【００４２】
図６の表示画面Ｗ２００では、メインチャンネルの映像データが表示されているが、字幕領域Ｒ２１０には、サブチャンネルに対応する字幕データが表示されている。これにより、利用者は、まずメインチャンネルの映像を確認しつつ、サブチャンネルでどのような放送が行われているかを確認することが出来る。
【００４３】
また、図５の表示画面Ｗ１００では識別子Ｒ１２０が、図６の表示画面Ｗ２００では識別子Ｒ２２０が表示されている。このように、例えば識別マークを表示させることにより、現在表示されている字幕データが、メインチャンネルのものであるか、サブチャンネルのものであるかを視認することができる。
【００４４】
なお、この場合、例えば字幕データの色を変更したり、大きさを変更したり、フォントを変更したりすることにより、メインチャンネルの字幕データか、サブチャンネルの字幕データを識別表示しても良い。
【００４５】
［５．効果］
このように、上述した実施形態によれば、メインチャンネルを表示させつつ、サブチェンネルの字幕データ、すなわち番組内容を表示させることができる。これにより、映像を表示させることなく、両方のチャンネルの番組内容が確認出来るため、表示の大きさが限られた装置等では極めて有効な技術を提供することができる。
【００４６】
さらに、メインチャンネルとサブチャンネルと２つの番組を受信している場合であっても、映像をデコードするのは１つのチャンネルで良いため、デコーダ部への電力供給を削減することができる。これにより、省電力なデジタル放送受信装置を提供することが可能となり、特に携帯型端末といったバッテリーで駆動する装置には極めて有効である。
【００４７】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００４８】
上述した実施形態では、字幕データとしてメインチャンネルとサブチャンネルとを択一的に表示させているが両方表示させてもよい。例えばメインチャンネルに対応する字幕データを表示画面上部に合成し、サブチャンネルに対応する字幕データを表示画面下部に合成するといった方法であっても良い、
【００４９】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００５０】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（(Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００５１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００５２】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【００５３】
１        ：携帯端末
１０      ：携帯端末
２０      ：放送局
１１０    ：外部アンテナ
１２０、１２０ａ、１２０ｂ    ：チューナ部
１３０、１３０ａ、１３０ｂ    ：ＤＥＭＵＸ
１４０    ：映像デコーダ部
１５０、１５０ａ、１５０ｂ    ：字幕デコーダ部
１６０    ：選択部
１７０    ：合成部
１８０    ：出力部
１０００  ：制御部
１１００  ：放送受信部
１２００  ：映像表示部
１３００  ：音声出力部
１４００  ：記憶部
１５００  ：操作部
１６００  ：電話機能部
【図１】
2014022958.tif 000003
【図２】
2014022958.tif 000004
【図３】
2014022958.tif 000005
【図４】
2014022958.tif 000006
【図５】
2014022958.tif 000007
【図６】
2014022958.tif 000008